(57)【要約】  この医用Ｘ線画像処理装置（１００）は、画像取得手段（１３ａ）により取得された複数のＸ線撮影像のうちから画像選択手段（１）により選択されたＸ線撮影像に対して、再構成手段（２）による再構成に用いる画像としての適否を判定する判定手段（３）を備える。
2019064346.tif 000002
【特許請求の範囲】
【請求項１】
Ｘ線照射部から被写体に照射され、Ｘ線検出部により検出されたＸ線に基づいて、Ｘ線撮影像を取得する画像取得部により取得された複数の別データとしての前記Ｘ線撮影像のうちから、断層像の再構成に用いる前記Ｘ線撮影像を選択可能に構成されている画像選択部と、
前記画像選択部により選択された前記Ｘ線撮影像を用いて前記断層像を再構成する再構成部と、
前記画像選択部により選択された前記Ｘ線撮影像と、前記画像選択部による選択前の前記画像取得部により取得された前記複数のＸ線撮影像とのうちのいずれか一方に対して、前記再構成部による再構成に用いる画像としての適否を判定する判定部と、を備える、医用Ｘ線画像処理装置。
【請求項２】
前記判定部は、前記被写体、および、Ｘ線を吸収するマーカが設けられたファントムに対して前記Ｘ線照射部によりＸ線が照射された場合に、前記画像取得部により取得された前記ファントムの画像を基準として、前記再構成部による再構成に用いる画像の適否の判定を行うように構成されている、請求項１に記載の医用Ｘ線画像処理装置。
【請求項３】
前記判定部は、前記画像取得部により取得された前記マーカの画像を基準として、前記再構成部による再構成に用いる画像の適否の判定を行うように構成されている、請求項２に記載の医用Ｘ線画像処理装置。
【請求項４】
前記判定部は、前記Ｘ線撮影像の取得時の前記Ｘ線検出部に対する前記Ｘ線照射部の相対的な位置関係に基づいて、前記再構成部による再構成に用いる画像の適否の判定を行うように構成されている、請求項１〜３のいずれか１項に記載の医用Ｘ線画像処理装置。
【請求項５】
前記判定部は、複数の前記Ｘ線撮影像の各々の取得時における前記位置関係の互いの対称性に基づいて、前記再構成部による再構成に用いる画像の適否の判定を行うように構成されている、請求項４に記載の医用Ｘ線画像処理装置。
【請求項６】
前記判定部は、前記被写体、および、Ｘ線を吸収するマーカが設けられたファントムに対して前記Ｘ線照射部によりＸ線が照射された場合に、前記マーカの画像から判別された前記複数のＸ線撮影像の各々の取得時における前記位置関係に対応するＸ線の照射角度の互いの対称性に基づいて、前記再構成部による再構成に用いる画像の適否の判定を行うように構成されている、請求項５に記載の医用Ｘ線画像処理装置。
【発明の詳細な説明】
【技術分野】
【０００１】
この発明は、医用Ｘ線画像処理装置に関し、特に、断層像を再構成する再構成部を備える医用Ｘ線画像処理装置に関する。
【背景技術】
【０００２】
従来、断層像を再構成する再構成部を備える医用Ｘ線画像処理装置が知られている。このような医用Ｘ線画像処理装置は、たとえば、特開２０１６−１２７８７０号公報に開示されている。【０００３】
特開２０１６−１２７８７０号公報には、被写体にＸ線を照射するＸ線源と、Ｘ線を検出する検出器とを備えるＸ線透視装置が開示されている。このＸ線透視装置では、断層像を取得するトモシンセシス撮像、および、透視像を取得する透視撮像を行うことが可能である。具体的には、上記Ｘ線透視装置において計測が開始されると、透視撮像が開始される。この透視撮像中にトモシンセシス撮像開始の指示があった場合、Ｘ線源と検出器とが相対移動し、トモシンセシス撮像が開始される。すなわち、トモシンセシス撮像が実施されている間は、透視撮像とトモシンセシス撮像とが並行して実施される。このトモシンセシス撮像中においては、透視像が取得される毎に取得された透視像に前処理が施され、前処理が施された透視像は保持部に保持される。そして、所定数以上の透視像が保持された場合に、前処理後の透視像に対して再構成処理などの演算処理が行われ、断層像が生成（算出）される。なお、トモシンセシス撮像とは、複数の方向（角度）からＸ線を照射するとともに撮像し、収集した画像データを３次元的に再構成する撮像手法である。
【先行技術文献】
【特許文献】
【０００４】
【特許文献１】特開２０１６−１２７８７０号公報
【発明の概要】
【発明が解決しようとする課題】
【０００５】
しかしながら、特開２０１６−１２７８７０号公報に記載のＸ線透視装置では、装置の機械精度の低下、または、Ｘ線の照射ミス等に起因して、断層像の生成（算出）に用いられる前処理後の透視像の中に、断層像の生成（算出）に不適切な画像が含まれる場合がある。この場合、断層像の画像が不適切になるという問題点がある。【０００６】
この発明は、上記のような課題を解決するためになされたものであり、この発明の１つの目的は、断層像の画像が不適切になるのを抑制することが可能な医用Ｘ線画像処理装置を提供することである。
【課題を解決するための手段】
【０００７】
上記目的を達成するために、この発明の一の局面における医用Ｘ線画像処理装置は、Ｘ線照射部から被写体に照射され、Ｘ線検出部により検出されたＸ線に基づいて、Ｘ線撮影像を取得する画像取得部により取得された複数の別データとしてのＸ線撮影像のうちから、断層像の再構成に用いるＸ線撮影像を選択可能に構成されている画像選択部と、画像選択部により選択されたＸ線撮影像を用いて断層像を再構成する再構成部と、画像選択部により選択されたＸ線撮影像と、画像選択部による選択前の画像取得部により取得された複数のＸ線撮影像とのうちのいずれか一方に対して、再構成部による再構成に用いる画像としての適否を判定する判定部と、を備える。【０００８】
この発明の一の局面における医用Ｘ線画像処理装置では、上記のような、判定部を備えることによって、断層像の再構成に不適切なＸ線撮影像か否かを判定部により判定することができる。これにより、断層像の生成（算出）に用いられるＸ線撮影像の中に不適切なＸ線撮影像が含まれるのを抑制することができる。その結果、断層像の画像が不適切になるのを抑制することができる。【０００９】
上記一の局面による医用Ｘ線画像処理装置において、好ましくは、判定部は、被写体、および、Ｘ線を吸収するマーカが設けられたファントムに対してＸ線照射部によりＸ線が照射された場合に、画像取得部により取得されたファントムの画像を基準として、再構成部による再構成に用いる画像の適否の判定を行うように構成されている。ここで、画像取得に際して一般的に、ファントムの位置は固定されている。これにより、撮像が正常に行われた場合は、画像中の所定の位置にファントムの像が取得される。したがって、ファントムの画像を基準として、再構成部による再構成に用いる画像の適否の判定を行うことによって、正常に撮像された場合のファントムの像と正常に撮像されなかった場合のファントムの像との比較を行うことができる。これにより、断層像の再構成に不適切なＸ線撮影像か否かを容易に判定することができる。なお、ファントムとは、Ｘ線撮影における画像解析に用いられる模型を意味する。【００１０】
この場合、好ましくは、判定部は、画像取得部により取得されたマーカの画像を基準として、再構成部による再構成に用いる画像の適否の判定を行うように構成されている。ここで、マーカがＸ線を吸収するので画像上にマーカが映し出される。また、ファントムの大きさに比べてマーカの大きさは小さいので、マーカに特徴的な形状を持たせること、および、マーカの数を増加させることは比較的容易である。したがって、マーカの画像を基準として、再構成部による再構成に用いる画像の適否の判定を行うことによって、マーカの形状および個数に基づいた判定を行うことができるので、断層像の再構成に不適切なＸ線撮影像か否かをさらに容易に判定することができる。【００１１】
上記一の局面による医用Ｘ線画像処理装置において、好ましくは、判定部は、Ｘ線撮影像の取得時のＸ線検出部に対するＸ線照射部の相対的な位置関係に基づいて、再構成部による再構成に用いる画像の適否の判定を行うように構成されている。このように構成すれば、Ｘ線照射部によるＸ線の照射が、適切な位置から（適切な角度から）行われなかった場合のＸ線撮影像が再構成に用いられるのが抑制されるので、断層像の画像が不適切になるのを抑制することができる。【００１２】
この場合、好ましくは、判定部は、複数のＸ線撮影像の各々の取得時における位置関係の互いの対称性に基づいて、再構成部による再構成に用いる画像の適否の判定を行うように構成されている。このように構成すれば、互いに対称性を有した位置関係における複数のＸ線撮影像を取得（または選択）して画像の再構成を行う場合において、断層像の再構成に不適切なＸ線撮影像か否かを効果的に判定することができる。【００１３】
上記判定部が複数の上記位置関係の互いの対称性に基づいて判定を行う医用Ｘ線画像処理装置において、好ましくは、判定部は、被写体、および、Ｘ線を吸収するマーカが設けられたファントムに対してＸ線照射部によりＸ線が照射された場合に、マーカの画像から判別された複数のＸ線撮影像の各々の取得時における位置関係に対応するＸ線の照射角度の互いの対称性に基づいて、再構成部による再構成に用いる画像の適否の判定を行うように構成されている。このように構成すれば、マーカを用いて複数のＸ線撮影像の対称性を判別することにより、互いに対称性を有した照射角度における複数のＸ線撮影像を取得（または選択）して画像の再構成を行う場合において、断層像の再構成に不適切なＸ線撮影像か否かを効果的に判定することができる。
【発明の効果】
【００１４】
本発明によれば、上記のように、断層像の画像が不適切になるのを抑制することができる。
【図面の簡単な説明】
【００１５】
【図１】第１および第２実施形態による医用Ｘ線画像処理装置およびＸ線撮影装置の構成を示す図である。
【図２】第１および第２実施形態によるＸ線照射時におけるＸ線照射部とＸ線検出部との相対的な位置関係を説明するための図である。
【図３】第１実施形態による医用Ｘ線画像処理装置の画像選択部により選択されたＸ線撮影像である。
【図４】第１実施形態による医用Ｘ線画像処理装置を用いた断層像の取得方法を説明するためのフロー図である。
【図５】第２実施形態による医用Ｘ線画像処理装置の画像選択部により選択されたＸ線撮影像である。
【図６】第２実施形態によるマーカに対するＸ線の照射（角度）を説明するための図である。
【図７】第２実施形態による医用Ｘ線画像処理装置を用いた断層像の取得方法を説明するためのフロー図である。
【図８】第１および第２実施形態の変形例による医用Ｘ線画像処理装置およびＸ線撮影装置の構成を示す図である。
【発明を実施するための形態】
【００１６】
以下、本発明を具体化した実施形態を図面に基づいて説明する。
【００１７】
［第１実施形態］
図１〜図４を参照して、第１実施形態による医用Ｘ線画像処理装置１００の構成について説明する。第１実施形態では、Ｘ線撮影装置１０によるトモシンセシス撮影の処理を行う医用Ｘ線画像処理装置１００について説明する。
【００１８】
図１に示すように、Ｘ線撮影装置１０には、Ｘ線照射部１１と、Ｘ線検出部１２と、画像処理部１３とが設けられている。また、Ｘ線撮影装置１０の画像処理部１３は、画像取得手段１３ａとして機能するように構成されている。なお、画像取得手段１３ａは、画像処理部１３（Ｘ線撮影装置１０）の中のソフトウェアとしての機能ブロックである。また、画像取得手段１３ａは、特許請求の範囲の「画像取得部」の一例である。
【００１９】
Ｘ線照射部１１は、患者ＴにＸ線を照射する。Ｘ線照射部１１は、図示しない高電圧発生部に接続されており、高電圧が印加されることによりＸ線を発生させる。Ｘ線照射部１１は、Ｘ線検出部１２の検出面に向けてＸ線を照射する。また、患者Ｔが寝かされている寝台１４には、ファントム２０（後述）が配置されている。Ｘ線撮影装置１０による撮影時において、患者Ｔおよびファントム２０の両方にＸ線照射部１１によりＸ線が照射される。なお、ファントム２０内には、複数（第１実施形態では２つ）のマーカ２０ａ（後述）（図３参照）が設けられている。また、マーカ２０ａは、Ｘ線を吸収する。また、マーカ２０ａは、たとえば球形状を有している。なお、患者Ｔは、特許請求の範囲の「被写体」の一例である。
【００２０】
Ｘ線検出部１２は、Ｘ線照射部１１から患者Ｔに照射されたＸ線を検出する。Ｘ線検出部１２は、検出したＸ線強度に応じた検出信号を出力する。なお、Ｘ線検出部１２は、たとえば、ＦＰＤ（Ｆｌａｔ  Ｐａｎｅｌ  Ｄｅｔｅｃｔｏｒ）により構成されている。
【００２１】
また、Ｘ線照射部１１およびＸ線検出部１２の各々は、Ｘ方向に移動可能に構成されている。すなわち、Ｘ線撮影装置１０では、Ｘ線照射部１１とＸ線検出部１２との相対的な位置関係を変化させながらＸ線撮影を行うことが可能である。また、Ｘ線照射部１１とＸ線検出部１２との相対的な位置関係の変化に対応して、Ｘ線照射部１１によるＸ線の照射角度も変化する。
【００２２】
Ｘ線照射部１１とＸ線検出部１２との相対的な位置関係（Ｘ線の照射角度）を変化させて取得された複数のＸ線撮影像を３次元的に再構成することにより、被写体（患者Ｔ）における所定の位置の断面像を取得することが可能である。これをトモシンセシス撮影と呼ぶ。なお、トモシンセシス撮影において一般的に、シフト加算法またはフィルタ補正逆投影法などの画像再構成方法が用いられるが、第１実施形態においては、いずれの手法を用いても構わない。
【００２３】
画像取得手段１３ａ（画像処理部１３）は、Ｘ線検出部１２により検出されたＸ線（すなわち、Ｘ線検出部１２の出力する検出信号）に基づいて、Ｘ線撮影像を取得する。また、画像取得手段１３ａと医用Ｘ線画像処理装置１００とは、ＬＡＮ（Ｌｏｃａｌ  Ａｒｅａ  Ｎｅｔｗｏｒｋ）などにより接続されている。画像取得手段１３ａにより取得されたＸ線撮影像は、ＬＡＮを介して医用Ｘ線画像処理装置１００に送信される。
【００２４】
（医用Ｘ線画像処理装置の構成）
医用Ｘ線画像処理装置１００には、ＣＰＵ１００ａが設けられている。ＣＰＵ１００ａは、画像選択手段１、再構成手段２、および、判定手段３として機能するように構成されている。なお、画像選択手段１、再構成手段２、および、判定手段３の各々は、ＣＰＵ１００ａ（医用Ｘ線画像処理装置１００）の中のソフトウェアとしての機能ブロックである。また、画像選択手段１および再構成手段２は、それぞれ、特許請求の範囲の「画像選択部」および「再構成部」の一例である。また、判定手段３は、特許請求の範囲の「判定部」の一例である。
【００２５】
画像選択手段１（ＣＰＵ１００ａ）は、画像取得手段１３ａ（画像処理部１３）により取得された複数の別データとしてのＸ線撮影像のうちから、断層像の再構成に用いるＸ線撮影像を選択可能に構成されている。
【００２６】
たとえば、図２に示すように、Ｘ線照射部１１とＸ線検出部１２との相対的な５つの位置関係の各々において、Ｘ線撮影像の取得が行われたとする。この場合、画像選択手段１（ＣＰＵ１００ａ）（図１参照）は、５つの別データとしてのＸ線撮影像のうちの全部または一部（たとえば４つ）を選択することが可能である。なお、選択は、プログラム等により自動で行われる。以下では、画像取得手段１３ａ（画像処理部１３）（図１参照）により取得された５つのＸ線撮影像の全てが、画像選択手段１により選択されたとして説明をする。なお、図２では、簡略化のため、Ｘ線照射部１１およびＸ線検出部１２以外の部材は、図示を省略している。
【００２７】
ここで、第１実施形態では、判定手段３（ＣＰＵ１００ａ）（図１参照）は、画像選択手段１により選択されたＸ線撮影像に対して、再構成手段２（ＣＰＵ１００ａ）（図１参照）による再構成に用いる画像としての適否を判定する。具体的には、判定手段３は、画像選択手段１により選択されたＸ線撮影像内における、（画像取得手段１３ａにより取得された）ファントム２０の画像を基準として、再構成手段２による再構成に用いる画像の適否の判定を行う。詳細には、判定手段３は、画像選択手段１により選択されたＸ線撮影像内における、（画像取得手段１３ａにより取得された）マーカ２０ａの画像を基準として、再構成手段２による再構成に用いる画像の適否の判定を行う。
【００２８】
より詳細には、図３に示すように、画像選択手段１（ＣＰＵ１００ａ）（図１参照）により選択された５つのＸ線撮影像のうちに、マーカ２０ａが写っていないＸ線撮影像（図３（ｄ）参照）があるとする。この場合、判定手段３は、マーカ２０ａが写っていないＸ線撮影像（図３（ｄ）参照）を、再構成手段２による再構成に用いる画像として適さないと判定する。正常に撮像された場合にはマーカ２０ａはＸ線撮影像に写るのに対し、マーカ２０ａが写っていない場合には、Ｘ線の照射角度が正常でない、または、Ｘ線の線量が正常でないなどの原因が考えられるため、このような判定基準が設けられている。なお、複数のマーカ２０ａのうちの１つでも写っていない場合に再構成に用いる画像として適さないと判定してもよいし、全てのマーカ２０ａが写っていない場合に再構成に用いる画像として適さないと判定してもよい。なお、Ｘ線撮影像におけるマーカ２０ａの検出には、たとえば２値化処理などが用いられる。
【００２９】
再構成手段２（ＣＰＵ１００ａ）（図１参照）は、画像選択手段１により選択されたＸ線撮影像を用いて断層像を再構成する。具体的には、再構成手段２は、画像選択手段１により選択されたＸ線撮影像のうち、判定手段３（ＣＰＵ１００ａ）（図１参照）によって再構成手段２による再構成に用いる画像として適すると判定されたＸ線撮影像（図３（ａ）〜（ｃ）、および、図３（ｅ）参照）を用いて、断層像を再構成する。
【００３０】
（断層像の取得方法）
次に、図４を参照して、第１実施形態の医用Ｘ線画像処理装置１００による断層像の取得方法について説明する。
【００３１】
まず、ステップＳ１において、Ｘ線撮影装置１０の画像取得手段１３ａ（画像処理部１３）（図１参照）によりＸ線撮影像が取得される。
【００３２】
次に、ステップＳ２において、ステップＳ１において取得された５つのＸ線撮影像の全てが画像選択手段１（ＣＰＵ１００ａ）（図１参照）により選択される。
【００３３】
次に、ステップＳ３において、ステップＳ２において選択された５つのＸ線撮影像の全てにおいてマーカ２０ａ（図３参照）が写っているか否かが判定手段３により判定される。全てのＸ線撮影像にマーカ２０ａが写っている場合、ステップＳ４に進む。マーカ２０ａが写っていないＸ線撮影像が１つでもある場合は、ステップＳ２に戻る。ステップＳ２に戻った場合、マーカ２０ａが写っていないＸ線撮影像が選択されないように制御されていてもよい。
【００３４】
次に、ステップＳ４では、ステップＳ３において再構成に適していると判定されたＸ線撮影像を用いて、再構成が行われる。そして、ステップＳ５において、再構成によって得られた断層像がモニタなどに表示される。
【００３５】
（第１実施形態の効果）
第１実施形態では、以下のような効果を得ることができる。
【００３６】
第１実施形態では、上記のように、画像取得手段１３ａにより取得された複数の別データとしてのＸ線撮影像のうちから、断層像の再構成に用いるＸ線撮影像を選択可能に構成されている画像選択手段１と、画像選択手段１により選択されたＸ線撮影像に対して、再構成手段２による再構成に用いる画像としての適否を判定する判定手段３と、を備えるように、医用Ｘ線画像処理装置１００を構成する。これにより、判定手段３を備えることによって、断層像の再構成に不適切なＸ線撮影像か否かを判定手段３により判定することができる。その結果、断層像の生成（算出）に用いられるＸ線撮影像の中に不適切なＸ線撮影像が含まれるのを抑制することができる。これにより、断層像の画像が不適切になるのを抑制することができる。
【００３７】
また、第１実施形態では、上記のように、判定手段３が、被写体、および、Ｘ線を吸収するマーカ２０ａが設けられたファントム２０に対してＸ線照射部１１によりＸ線が照射された場合に、画像取得手段１３ａにより取得されたファントム２０の画像を基準として、再構成手段２による再構成に用いる画像の適否の判定を行うように、医用Ｘ線画像処理装置１００を構成する。ここで、画像取得に際して、ファントム２０の位置は固定されている。これにより、撮像が正常に行われた場合は、画像中の所定の位置にファントム２０の像が取得される。したがって、ファントム２０の画像を基準として、再構成手段２による再構成に用いる画像の適否の判定を行うことによって、正常に撮像された場合のファントム２０の像と正常に撮像されなかった場合のファントム２０の像との比較を行うことができる。これにより、断層像の再構成に不適切なＸ線撮影像か否かを容易に判定することができる。
【００３８】
また、第１実施形態では、上記のように、判定手段３が、画像取得手段１３ａにより取得されたマーカ２０ａの画像を基準として、再構成手段２による再構成に用いる画像の適否の判定を行うように、医用Ｘ線画像処理装置１００を構成する。ここで、マーカ２０ａがＸ線を吸収するので画像上にマーカ２０ａが映し出される。また、ファントム２０の大きさに比べてマーカ２０ａの大きさは小さいので、マーカ２０ａに特徴的な形状を持たせること、および、マーカ２０ａの数を増加させることは比較的容易である。したがって、マーカ２０ａの画像を基準として、再構成手段２による再構成に用いる画像の適否の判定を行うことによって、マーカ２０ａの形状および個数に基づいた判定を行うことができるので、断層像の再構成に不適切なＸ線撮影像か否かをさらに容易に判定することができる。
【００３９】
［第２実施形態］
次に、図１、図５、および、図６を参照して、第２実施形態による医用Ｘ線画像処理装置２００の構成について説明する。この第２実施形態における医用Ｘ線画像処理装置２００では、Ｘ線撮影像に写っているマーカ２０ａの有無に基づいて判定を行う第１実施形態とは異なり、画像取得時におけるＸ線照射部１１とＸ線検出部１２との相対的な位置関係（Ｘ線の照射角度）に基づいて判定を行う。なお、上記第１実施形態と同様の構成は、第１実施形態と同じ符号を付して図示するとともに説明を省略する。
【００４０】
（医用Ｘ線画像処理装置の構成）
図１に示すように、医用Ｘ線画像処理装置２００には、ＣＰＵ２００ａが設けられている。ＣＰＵ２００ａは、判定手段２３として機能するように構成されている。なお、判定手段２３は、医用Ｘ線画像処理装置２００の中のソフトウェアとしての機能ブロックである。また、判定手段２３は、特許請求の範囲の「判定部」の一例である。
【００４１】
ここで、第２実施形態では、図５に示すように、判定手段２３（ＣＰＵ２００ａ）（図１参照）は、Ｘ線撮影像の取得時のＸ線検出部１２（図１参照）に対するＸ線照射部１１（図１参照）の相対的な位置関係に基づいて、再構成手段２（ＣＰＵ２００ａ）（図１参照）による再構成に用いる画像の適否の判定を行うように構成されている。具体的には、判定手段２３は、画像選択手段１（ＣＰＵ２００ａ）（図１参照）により選択された複数（第２実施形態では５つ）のＸ線撮影像の各々の取得時における、Ｘ線検出部１２に対するＸ線照射部１１の相対的な位置関係の互いの対称性に基づいて、再構成手段２による再構成に用いる画像の適否の判定を行うように構成されている。
【００４２】
詳細には、判定手段２３は、画像選択手段１により選択された図５（ａ）〜図５（ｅ）のＸ線撮影像に写っているマーカ２０ａの画像から、Ｘ線検出部１２に対するＸ線照射部１１の相対的な位置関係に対応するＸ線の照射角度を判別（算出）する。すなわち、判定手段２３は、Ｘ線撮影像に写っている２つのマーカ２０ａの位置関係に基づいて、Ｘ線検出部１２に対するＸ線照射部１１の相対的な位置関係に対応するＸ線の照射角度を判別（算出）している。
【００４３】
たとえば、図６（ａ）〜（ｅ）に示すように、Ｘ線の照射角度を−４０度（図６（ａ）参照）、−２０度（図６（ｂ）参照）、０度（図６（ｃ）参照）、２０度（図６（ｄ）参照）、４０度（図６（ｅ）参照）と変化させて各照射角度におけるＸ線撮影像を取得する。この場合、Ｘ線検出部１２に対するＸ線照射部１１からのＸ線の照射角度が変化することにより、マーカ２０ａに対するＸ線の照射角度も変化する。その結果、Ｘ線撮影像に写る２つのマーカ２０ａの位置関係も変化する。なお、図５（ａ）〜（ｅ）のＸ線撮影像は、それぞれ、図６（ａ）〜（ｅ）に示すＸ線の照射角度において取得されたＸ線撮影像である。また、図５のマーカ２０ａの画像および図６のマーカ２０ａは概略的に表示されたものであり、角度に対応するマーカ２０ａの位置の変化は実際とは異なる場合がある。
【００４４】
２つのマーカ２０ａの位置（２つのマーカ２０ａを結ぶ線分の角度など）から判別（算出）された、図５（ａ）〜図５（ｅ）のＸ線撮影像の各々の取得時のＸ線の照射角度が、それぞれ、−４０度、−２０度、０度、２０度、４０度であるとする。この場合、判定手段２３は、この５つのＸ線撮影像には対称性があると判定する。また、たとえば、図５（ａ）〜図５（ｅ）のＸ線撮影像の各々の取得時のＸ線の照射角度が、それぞれ、−４０度、−２０度、０度、１０度、４０度であるとすると、判定手段２３は、この５つのＸ線撮影像には対称性がないと判定する。すなわち、Ｘ線の照射角度が１０度のＸ線撮影像が含まれているため、判定手段２３により対称性がないと判定される。なお、対称性の判定基準は任意に設定可能である。
【００４５】
（断層像の取得方法）
次に、図７を参照して、第２実施形態の医用Ｘ線画像処理装置２００による断層像の取得方法について説明する。
【００４６】
まず、ステップＳ１１において、Ｘ線撮影装置１０の画像取得手段１３ａ（画像処理部１３）（図１参照）によりＸ線撮影像が取得される。
【００４７】
次に、ステップＳ１２において、ステップＳ１１において取得された５つのＸ線撮影像の全てが画像選択手段１（ＣＰＵ２００ａ）（図１参照）により選択される。
【００４８】
次に、ステップＳ１３において、ステップＳ１２において選択された５つのＸ線撮影像にＸ線の照射角度の対称性があるか否かが判定手段２３（ＣＰＵ２００ａ）（図１参照）により判定される。５つのＸ線撮影像に対称性がある場合、ステップＳ１４に進む。５つのＸ線撮影像に対称性がない場合は、ステップＳ１２に戻る。ステップＳ１２に戻った場合、対称性がないと判定される原因となったＸ線撮影像が選択されないように制御されていてもよい。
【００４９】
次に、ステップＳ１４では、ステップＳ１３において対称性があると判定された複数のＸ線撮影像を用いて、再構成が行われる。そして、ステップＳ１５において、再構成によって得られた断層像がモニタなどに表示される。
【００５０】
第２実施形態のその他の構成は、上記第１実施形態と同様である。
【００５１】
（第２実施形態の効果）
第２実施形態では、以下のような効果を得ることができる。
【００５２】
第２実施形態では、上記のように、判定手段２３が、Ｘ線撮影像の取得時のＸ線検出部１２に対するＸ線照射部１１の相対的な位置関係に基づいて、再構成手段２による再構成に用いる画像の適否の判定を行うように、医用Ｘ線画像処理装置２００を構成する。これにより、Ｘ線照射部１１によるＸ線の照射が、適切な位置から（適切な角度から）行われなかった場合のＸ線撮影像が再構成に用いられるのが抑制されるので、断層像の画像が不適切になるのを抑制することができる。
【００５３】
また、第２実施形態では、上記のように、判定手段２３が、複数のＸ線撮影像の各々の取得時における位置関係の互いの対称性に基づいて、再構成手段２による再構成に用いる画像の適否の判定を行うように、医用Ｘ線画像処理装置２００を構成する。これにより、互いに対称性を有した位置関係における複数のＸ線撮影像を取得（または選択）して画像の再構成を行う場合において、断層像の再構成に不適切なＸ線撮影像か否かを効果的に判定することができる。
【００５４】
また、第２実施形態では、上記のように、判定手段２３が、患者Ｔ、および、Ｘ線を吸収するマーカ２０ａが設けられたファントム２０に対してＸ線照射部１１によりＸ線が照射された場合に、マーカ２０ａの画像から判別された複数のＸ線撮影像の各々の取得時における位置関係に対応するＸ線の照射角度の互いの対称性に基づいて、再構成手段２による再構成に用いる画像の適否の判定を行うように、医用Ｘ線画像処理装置２００を構成する。これにより、マーカ２０ａを用いて複数のＸ線撮影像の対称性を判別することにより、互いに対称性を有した照射角度における複数のＸ線撮影像を取得（または選択）して画像の再構成を行う場合において、断層像の再構成に不適切なＸ線撮影像か否かを効果的に判定することができる。
【００５５】
なお、第２実施形態のその他の効果は、上記第１実施形態と同様である。
【００５６】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００５７】
たとえば、上記第１および第２実施形態では、トモシンセシス撮影が行われる例を示したが、本発明はこれに限られない。たとえば、ＣＴ撮影が行われてもよい。
【００５８】
また、上記第１および第２実施形態では、ファントムに２つのマーカが設けられる例を示したが、本発明はこれに限られない。たとえば、ファントムに１つ、または、３つ以上のマーカが設けられていてもよい。
【００５９】
また、上記第１および第２実施形態では、マーカが球形状を有している例を示したが、本発明はこれに限られない。たとえば、マーカは球形状以外の形状（たとえば棒形状）を有していてもよい。
【００６０】
また、上記第１および第２実施形態では、Ｘ線照射部およびＸ線検出部の各々が移動可能に構成されている例を示したが、本発明はこれに限られない。たとえば、Ｘ線照射部およびＸ線検出部のうちのいずれか一方が移動可能に構成されていてもよい。
【００６１】
また、上記第１および第２実施形態では、１つのＸ線照射部が移動することによって、Ｘ線照射部とＸ線検出部との相対的な位置関係を変化させる例を示したが、本発明はこれに限られない。たとえば、複数の固定されているＸ線照射部が配置されており、Ｘ線を照射するＸ線照射部を変えることによって、Ｘ線照射部とＸ線検出部との相対的な位置関係を変化させてもよい。
【００６２】
また、上記第１および第２実施形態では、Ｘ線照射部とＸ線検出部との相対的な５つの位置関係の各々において、Ｘ線撮影像の取得が行われる例を示したが、本発明はこれに限られない。たとえば、Ｘ線照射部とＸ線検出部との相対的な位置関係を変化させて、４つ以下、または、６つ以上のＸ線撮影像を取得してもよい。
【００６３】
また、上記第１実施形態では、ファントムおよびマーカに基づいて、再構成に用いる画像としての適否を判定する例を示したが、本発明はこれに限られない。たとえば、ファントムおよびマーカを用いずに、Ｘ線撮影像の画質（輝度値など）に基づいて、再構成に用いる画像としての適否を判定してもよい。また、その他の判定基準に基づいて判定を行ってもよい。
【００６４】
また、上記第２実施形態では、マーカ（ファントム）に基づいてＸ線の照射角度を判別する例を示したが、本発明はこれに限られない。たとえば、Ｘ線撮影装置がＸ線照射時のＸ線の照射角度の情報を予め有していてもよい。この場合、上記情報と取得されたＸ線撮影像とを関連付かせておき、選択されたＸ線撮影像に対応するＸ線の照射角度の対称性を上記情報に基づいて判定してもよい。
【００６５】
また、上記第１および第２実施形態では、画像取得部（画像取得手段１３ａ）により取得されたＸ線撮影像の全てが画像選択部（画像選択手段１）により選択される例を示したが、本発明はこれに限られない。たとえば、画像取得部（画像取得手段１３ａ）により取得されたＸ線撮影像のうちの一部が画像選択部（画像選択手段１）により選択されてもよい。この場合、判定部（判定手段３（２３））による判定がＮＧであった場合の次の画像選択において、前の画像選択において選択されなかったＸ線撮影像が選択されてもよい。
【００６６】
また、上記第１実施形態では、再構成に用いるのに適さないと判定されたＸ線撮影像がある場合に、画像選択部（画像選択手段１）による画像の再選択が行われる例を示したが、本発明はこれに限られない。たとえば、画像選択部（画像選択手段１）により選択された複数のＸ線撮影像のうちの一部が判定部（判定手段３）により判定ＯＫと判定された場合に、画像選択部（画像選択手段１）による再選択を行わずに、判定ＯＫのＸ線撮影像により再構成を行ってもよい。
【００６７】
また、上記第１実施形態では、マーカがＸ線撮影像に写っているか否かに基づいて判定部（判定手段３）による判定が行われる例を示したが、本発明はこれに限られない。たとえば、Ｘ線撮影像においてマーカの一部が欠けて写っていたり、または、マーカの像が不鮮明な場合に、再構成に用いる画像として適さないと判定してもよい。
【００６８】
また、上記第１実施形態では、マーカがＸ線撮影像に写っているか否かに基づいて判定部（判定手段３）による判定が行われる例を示したが、本発明はこれに限られない。たとえば、ファントムが写っているか否かに基づいて判定部（判定手段３）による判定が行われてもよい。また、Ｘ線撮影像においてファントムの一部が欠けて写っていたり、または、ファントムの像が不鮮明な場合に、再構成に用いる画像として適さないと判定してもよい。
【００６９】
また、上記第１および第２実施形態では、判定部（判定手段３（２３））により再構成に用いる画像として適さないと判定されたＸ線撮影像は次の画像選択において選択されない例を示したが、本発明はこれに限られない。たとえば、判定部（判定手段３（２３））により再構成に用いる画像として適さないと判定されたＸ線撮影像（第２実施形態では再構成に用いる画像として適さないと判定される原因となったＸ線撮影像）に対応する条件（上記相対位置および照射角度の条件）の画像取得を再び行ってもよい。そして、再取得されたＸ線撮影像を画像選択部（画像選択手段１）により選択するとともに、判定部（判定手段３（２３））により判定してもよい。これにより、全てのＸ線撮影像を再取得する場合に比べて、再取得（再撮影）による被写体（患者Ｔ）のＸ線の被爆を抑制することが可能である。
【００７０】
また、上記第１および第２実施形態では、画像選択部（画像選択手段１）により選択されたＸ線撮影像を判定部（判定手段３（２３））により判定する例を示したが、本発明はこれに限られない。たとえば、画像選択部（画像選択手段１）による選択前の画像取得部（画像取得手段１３ａ）により取得された複数のＸ線撮影像に対して判定部（判定手段３（２３））による判定を行い、再構成に用いる画像として適していると判定部（判定手段３（２３））により判定されたＸ線撮影像のうちから、画像選択部（画像選択手段１）による選択が行われてもよい。
【００７１】
また、上記第１および第２実施形態では、医用Ｘ線画像処理装置には画像取得部（画像取得手段１３ａ）が備えられていない構成の例を示したが、本発明はこれに限られない。図８に示すように、医用Ｘ線画像処理装置３００が、画像取得手段１３ａを備えていてもよい。具体的には、医用Ｘ線画像処理装置３００には、ＣＰＵ３００ａが設けられている。ＣＰＵ３００ａは、画像取得手段１３ａとして機能するように構成されている。この場合、画像取得手段１３ａは、ＣＰＵ３００ａ（医用Ｘ線画像処理装置３００）の中のソフトウェアとしての機能ブロックである。また、画像取得手段１３ａは、Ｘ線撮影装置３０のＸ線検出部１２の出力する検出信号に基づいて、Ｘ線撮影像を取得する。この場合、医用Ｘ線画像処理装置３００は、Ｘ線撮影装置３０に含まれている。
【００７２】
また、上記第１実施形態では、画像選択部（画像選択手段１）により複数のＸ線撮影像が選択される例を示したが、本発明はこれに限られない。たとえば、画像選択部（画像選択手段１）により１つのＸ線撮影像が選択されてもよい。
【００７３】
また、上記第２実施形態では、複数のＸ線撮影像の各々の取得時におけるＸ線の照射角度の互いの対称性に基づいて判定を行う例を示したが、本発明はこれに限られない。たとえば、Ｘ線検出部に対するＸ線照射部の相対的な位置関係の互いの対称性に基づいて判定を行ってもよい。具体的には、複数のＸ線撮影像の各々の取得時における、Ｘ線照射部１１とＸ線検出部１２との間のＸ方向における距離（図２参照）の互いの対称性に基づいて判定を行ってもよい。
【００７４】
また、上記第２実施形態では、複数のＸ線撮影像の各々の取得時におけるＸ線の照射角度が互いに対称性を有している場合に再構成に用いる画像として適していると判定する例を示したが、本発明はこれに限られない。たとえば、複数のＸ線撮影像の各々に対応するＸ線の照射角度が互いに対称でなくても、所定の条件（たとえば、互いの角度差が約１０度であるという条件）を満たしている場合に再構成に用いる画像として適していると判定してもよい。
【００７５】
また、上記第１および第２実施形態では、画像選択部（画像選択手段１）による選択がプログラム等により自動で行われる例を示したが、本発明はこれに限られない。たとえば、選択がユーザにより行われてもよい。
【００７６】
また、上記第１および第２実施形態では、説明の便宜上、制御の処理を「フロー駆動型」のフローチャートを用いて説明したが、本発明はこれに限られない。制御の処理をイベント単位で実行する「イベント駆動型」により行ってもよい。この場合、完全なイベント駆動型で行ってもよいし、イベント駆動およびフロー駆動を組み合わせて行ってもよい。
【符号の説明】
【００７７】
１  画像選択手段（画像選択部）
２  再構成手段（再構成部）
３、２３  判定手段（判定部）
１１  Ｘ線照射部
１２  Ｘ線検出部
１３  画像取得手段（画像取得部）
２０  ファントム
２０ａ  マーカ
１００、２００、３００  医用Ｘ線画像処理装置
Ｔ  患者（被写体）
【図１】
2019064346.tif 000003
【図２】
2019064346.tif 000004
【図３】
2019064346.tif 000005
【図４】
2019064346.tif 000006
【図５】
2019064346.tif 000007
【図６】
2019064346.tif 000008
【図７】
2019064346.tif 000009
【図８】
2019064346.tif 000010
【国際調査報告】
2019064346.tif 000011
2019064346.tif 000012
2019064346.tif 000013
2019064346.tif 000014